(57)【要約】      （修正有）【課題】大がかりな部材を用いることなく排水口から電装品箱に雨水が浸入するのを確実に抑制することができる室外機を具備した空気調和機の提供を目的とする。【解決手段】本発明の空気調和機は、圧縮機が設置された機械室２６０と室外ファン２３２を有する送風機が設置された送風機室２７０とを区画する仕切板２５０と、この仕切板２５０の上方に設けられ、少なくとも一部が送風機室２７０を臨むように配置された電装品箱２８０を有する室外機２００を具備した空気調和機であって、電装品箱２８０は、板金を折り曲げることで形成されていると共に、電装品箱２８０に侵入した水を排水する排水口２８４を有しており、排水口２８４は、電装品箱２８０の底部であって、室外ファン２３２から飛散した水滴が排水口２８４を介して電装品箱２８０内に入らない部位に位置していることを特徴とする。【選択図】図１３
2019015453.tif 000002
【特許請求の範囲】
【請求項１】
圧縮機が設置された機械室と室外ファンを有する送風機が設置された送風機室とを区画する仕切板と、この仕切板の上方に設けられ、少なくとも一部が前記送風機室を臨むように配置された電装品箱を有する室外機を具備した空気調和機であって、
前記電装品箱は、板金を折り曲げることで形成されていると共に、前記電装品箱に侵入した水を排水する排水口を有しており、
前記排水口は、前記電装品箱の底部であって、前記室外ファンから飛散した水滴が前記排水口を介して前記電装品箱内に入らない部位に位置していることを特徴とする空気調和機。
【請求項２】
排水口は、室外ファンの軌跡の後端鉛直上方よりも前方であって、前記室外ファンの軌跡が直視できない電装品箱の底部の領域、および／または室外ファンの軌跡の後端鉛直上方よりも後方であって、前記室外ファンから飛散する水滴が直接当たる領域よりも後方の電装品箱の底部の領域に位置している請求項１に記載の空気調和機。
【請求項３】
排水口は、室外ファンの軌跡の後端鉛直上方よりも後方であって、前記室外ファンから飛散する水滴が直接当たる領域よりも後方の電装品箱の底部の領域に位置している請求項１に記載の空気調和機。
【請求項４】
電装品箱の内部には、前記電装品箱の底部から離間すると共に水平に配置された基板と、この基板に装着された電装部品とが収納され、
前記電装部品のいずれもが前記基板の上方に配置されている請求項１から請求項３のいずれか１項に記載の空気調和機。
【請求項５】
排水口が、バーリング形状に形成されている請求項１から請求項４のいずれか１項に記載の空気調和機。
【請求項６】
バーリング端面に防錆処理が施されている請求項５に記載の空気調和機。
【請求項７】
電装品箱が、排水口を複数有している請求項５または請求項６に記載の空気調和機。
【発明の詳細な説明】
【技術分野】
【０００１】
本発明は、空気調和機に関する。
【背景技術】
【０００２】
空気調和機の室外機には、冷媒を圧縮するための圧縮機や、この圧縮機により圧縮された冷媒と外気との熱交換を行うための送風機、これらを駆動するための電装部品が収納された電装品箱などが設けられている。
【０００３】
上述の電装品箱には、外部から侵入した小動物や昆虫などにより充電部がショートしたり、雨天時に室外機の筺体外から吹き付ける雨滴により上記充電部がショートして電装部品が故障するのを防止するため、様々な形状や材質を用いたものが提案されている。
【０００４】
このような電装品箱の形態の１つとして、例えば、外部から直視できないように通風開口の外側にダクトカバーが設けると共に、上記通風開口の内側に雨水を溜める減速室と、この減速室の底部の前面板側に開口するように設けられた排水機構とにより電装品箱内部の雨水を排水することが可能な室外機が開示されている（例えば、特許文献１参照）。
【０００５】
このような排水機構を有する空気調和機においては、ダクトカバーや減速室等を設けることで電装品箱内への雨水に浸入を抑制できると共に、一旦侵入した雨水を排水機構を用いて排水できるとされている。
【先行技術文献】
【特許文献】
【０００６】
【特許文献１】特開２００８−２８１２８６号公報
【発明の概要】
【発明が解決しようとする課題】
【０００７】
しかしながら、上述したような従来の空気調和機では、電装品箱内への雨水の浸入をある程度は低減することができるものの、排水機構の取り付け位置によってはその開口から雨水の浸入を許してしまうことがある。加えて、雨水の侵入を抑制するための構造が複雑になり、空気調和機に求められるコスト低減の要請にも反する。
【０００８】
本発明は、以上のような事情に基づいてなされたものであり、その目的は、大がかりな部材を用いることなく排水口から電装品箱に雨水が浸入するのを確実に抑制することができる室外機を具備した空気調和機を提供することにある。
【課題を解決するための手段】
【０００９】
本発明は、
（１）圧縮機が設置された機械室と室外ファンを有する送風機が設置された送風機室とを区画する仕切板と、この仕切板の上方に設けられ、少なくとも一部が前記送風機室を臨むように配置された電装品箱を有する室外機を具備した空気調和機であって、
前記電装品箱は、板金を折り曲げることで形成されていると共に、前記電装品箱に侵入した水を排水する排水口を有しており、
前記排水口は、前記電装品箱の底部であって、前記室外ファンから飛散した水滴が前記排水口を介して前記電装品箱内に入らない部位に位置していることを特徴とする空気調和機、
（２）排水口は、室外ファンの軌跡の後端鉛直上方よりも前方であって、前記室外ファンの軌跡が直視できない電装品箱の底部の領域、および／または室外ファンの軌跡の後端鉛直上方よりも後方であって、前記室外ファンから飛散する水滴が直接当たる領域よりも後方の電装品箱の底部の領域に位置している前記（１）に記載の空気調和機、
（３）排水口は、室外ファンの軌跡の後端鉛直上方よりも後方であって、前記室外ファンから飛散する水滴が直接当たる領域よりも後方の電装品箱の底部の領域に位置している前記（１）に記載の空気調和機、
（４）電装品箱の内部には、前記電装品箱の底部から離間すると共に水平に配置された基板と、この基板に装着された電装部品とが収納され、
前記電装部品のいずれもが前記基板の上方に配置されている前記（１）から（３）のいずれか１項に記載の空気調和機、
（５）排水口が、バーリング形状に形成されている前記（１）から（４）のいずれか１項に記載の空気調和機、
（６）バーリング端面に防錆処理が施されている前記（５）に記載の空気調和機、並びに
（７）電装品箱が、排水口を複数有している前記（５）または（６）に記載の空気調和機
に関する。
【００１０】
なお、本明細書において、「前方」とは、室外ファンが駆動用モータで駆動している際、この室外ファンを通過する外気の流れの向きと同じ方向を意味し、「後方」とは、上記「前方」とは反対側の方向を意味する。
【発明の効果】
【００１１】
本発明は、大がかりな部材を用いることなく排水口から電装品箱に雨水が浸入するのを確実に抑制することができる室外機を具備した空気調和機を提供することができる。
【図面の簡単な説明】
【００１２】
【図１】本発明の空気調和機の一実施形態を示す概略斜視図である。
【図２】図１の室外機の一部を分解して示す概略斜視図である。
【図３】図１の室外機の一部を切り欠いて示す概略平面図である。
【図４】図１の室外機の一部を分解して示す概略正面図である。
【図５】図１の電装品箱の外観を示す概略斜視図であって、（ａ）は全体図、（ｂ）は（ａ）のＡ部を拡大して示す部分図である。
【図６】図５の電装品箱の一部を拡大して示す概略正面図であって、（ａ）は全体図、（ｂ）は（ａ）のＢ部を拡大して示す部分図である。
【図７】図５の電装品箱の概略展開図であって、（ａ）は全体図、（ｂ）は（ａ）のＣ部を拡大して示す部分図である。
【図８】図１の室外機の一部を分解して示す概略正面図である。
【図９】図８の概略断面図であって、（ａ）は図８のＥ−Ｅ線で切断した図、（ｂ）は図８のＤ−Ｄ線で切断した図を示している。
【図１０】図１の電装品箱の一部を分解して示す概略図であって、（ａ）は（ｂ）のＹ−Ｙ線で切断した図、（ｂ）は平面図を示している。
【図１１】図１の室外機の一部を切り欠いて示す概略背面図である。
【図１２】図１の排水口の概略拡大図であって、（ａ）は平面図、（ｂ）は断面図を示している。
【図１３】図１の室外機の一部を切り欠いて示す概略正面図である。
【図１４】図１３の概略断面図であって、（ａ）はＦ−Ｆ断面、（ｂ）はＧ−Ｇ断面、（ｃ）はＨ−Ｈ断面、（ｄ）はＩ−Ｉ断面、（ｅ）はＪ−Ｊ断面、（ｆ）はＫ−Ｋ断面、（ｇ）はＬ−Ｌ断面、（ｈ）はＭ−Ｍ断面を示している。
【図１５】図１４のＫ−Ｋ断面を拡大して示す概略図であって、排水口がバーリング形状に形成されている図である。
【図１６】図１４を拡大して示す概略図であって、（ａ）はＦ−Ｆ断面、（ｂ）はＭ−Ｍ断面を示している。
【図１７】図１の室外機における外気の風速と室外ファン回転数との関係を示す概略図である。
【図１８】図１の室外機における室外ファンから飛散する水滴の速度ベクトルを水平成分および垂直成分に分解して示す概略図である。
【図１９】図１の室外機における室外ファンの水滴掻き揚げ時の排水口から水滴が電装品箱に侵入しない領域を示す概略平面図である。
【発明を実施するための形態】
【００１３】
本発明の空気調和機は、圧縮機が設置された機械室と室外ファンを有する送風機が設置された送風機室とを区画する仕切板と、この仕切板の上方に設けられ、少なくとも一部が上記送風機室を臨むように配置された電装品箱を有する室外機を具備した空気調和機であって、上記電装品箱は、板金を折り曲げることで形成されていると共に、上記電装品箱に侵入した水を排水する排水口を有しており、上記排水口は、上記電装品箱の底部であって、上記室外ファンから飛散した水滴が上記排水口を介して上記電装品箱内に入らない部位に位置していることを特徴とする。
【００１４】
なお、本明細書において、「通常運転」とは、駆動用モータを用いて室外ファンの回転を制御する運転を意味する。また、「フリーラン運転」とは、駆動用モータに電力を供給せずに外気の流れにまかせて室外ファンを自由に回転させる運転を意味し、強風時に通常運転を行うと部品の破損を引き起こす可能性があるときに所定の風速以上で実施される。
【００１５】
以下、本発明の一実施形態について図面を参照して説明するが、本発明は、当該図面に記載の実施形態にのみ限定されるものではない。
【００１６】
図１は、本発明の空気調和機の一実施形態を示す概略斜視図である。当該空気調和機１は、図１に示すように、概略的に、室内機１００と、接続配管３００と、室外機２００とにより構成されている。
【００１７】
室内機１００は、図示していない室内熱交換器、室内送風機および露受皿が取り付けられた筐体１１０と、空気吸込口１２０および空気吹出口１３０が取り付けられた化粧枠１４０と、前面パネル１５０と、図示していない制御基板とを有している。
【００１８】
室内熱交換器は、冷媒と室内の空気との間で熱交換を行う。この室内熱交換器は、冷房運転時には蒸発器として動作し、暖房運転時には凝縮器として動作する。室内送風機は、室内の空気を室内機に強制的に吸い込むと共に、室内熱交換器で熱交換した空気を室内機から強制的に吹き出させる。露受皿は、室内熱交換器から滴下した水滴を受け入れて屋外に排出する。
【００１９】
筐体１１０は、上述の室内熱交換器、室内送風機および露受皿を一体的に保持する。空気吸込口１２０は、室内の空気を室内機１００内に吸い込む。空気吹出口１３０は、室内熱交換器により温湿度が調和された空気を室内に向けて吹き出す。化粧枠１４０は、上述の空気吸込口１２０および空気吹出口１３０を一体的に保持する。前面パネル１５０は、化粧枠１４０の前面を覆う。
【００２０】
制御基板は、マイコン（不図示）が設けられている。このマイコンは、図示していない室内温度センサー、室内湿度センサー等の各種センサーからの信号、および受光部１６０を介して入力された操作用のリモコン４００からの操作信号を受け付けると共に、室内送風機の制御、および後述する室外機２００との通信を行う。
【００２１】
接続配管３００は、上述した室内機１００と後述する室外機２００とを接続する配管であり、この配管を通して室内機１００と室外機２００との間で冷媒を流通させる。
【００２２】
室外機２００は、図１〜図４に示すように、圧縮機２１０と、室外熱交換器２２０と、送風機２３０と、ファンリング２３３と、外筐２４０と、仕切板２５０と、電装品箱２８０とを有している。
【００２３】
圧縮機２１０は、低温低圧ガスの冷媒を高温高圧ガスに圧縮し、運転モード（冷房運転、暖房運転など）に応じて上記冷媒を室内熱交換器または室外熱交換器２２０に選択的に吐出する。なお、この圧縮機２１０は機械室２６０に設置されている。
【００２４】
室外熱交換器２２０は、外気（屋外の空気）と冷媒との間で熱交換を行う。この室外熱交換器２２０は、冷房運転時には凝縮器として動作し、暖房運転時には蒸発器として動作する。本実施形態では、室外熱交換器２２０は、熱交換を行う面積を大きくして熱交換能力を高めるため、室外機２００の一側面から背面にかけて略Ｌ字状に配設されている。
【００２５】
送風機２３０は、駆動用モータ２３１に接続した室外ファン２３２を有している。この室外ファン２３２は、外気を室外熱交換器２２０に強制的に供給して熱交換を行わせる。室外ファン２３２による送風方向は、通常、室外熱交換器２２０から室外ファン２３２に向かう方向に設定される。なお、上述した室外熱交換器２２０および送風機２３０は、送風機室２７０に設置されている。ファンリング２３３は、図９に示すように室外ファン２３２の径方向の外周に設けられ、室外ファン２３２に付着した水滴が四方に飛び散るのを抑制する。
【００２６】
外筐２４０は、熱交換した外気を排出するファングリル２４４を有する前面板２４１と、室外機２００の両側面を覆う側面板２４２と、室外機２００の天面を覆う天板２４３とを備えている。仕切板２５０は、上述した機械室２６０と送風機室２７０とを区画する。
【００２７】
電装品箱２８０は、圧縮機２１０、駆動用モータ２３１等を駆動するための各種電装部品２８８を収納する。圧縮機２１０や駆動用モータ２３１を駆動するには大きな電力が必要となるため、これらを駆動する電装部品２８８も大容量となって発熱量が大きくなる。このため、電装部品２８８を効率よく冷却する目的で、電装品箱２８０は、図１１に示すように仕切板２５０の上方に設けられ、少なくとも一部が送風機室２７０を臨むように配置される。本実施形態では、電装品箱２８０は、送風機室２７０と機械室２６０とに跨って仕切板２５０の上端上に設置されている。このため、例えば当該空気調和機１の通常運転時の室外ファン２３２の回転に伴い生じた外気の流れ（気流）により、電装品箱２８０やこれに直結した放熱フィン２８２からの放熱が促進され、電装品箱２８０内の電装部品２８８が冷却される。
【００２８】
ここで、当該空気調和機１の電装品箱２８０について詳述する。電装品箱２８０は、コスト低減の観点から、板金を折り曲げることで形成されている。このように板金で形成された電装品箱２８０では、電装部カバー２８３の角部および電装品箱２８０の底部２８１ｂの角部において、図５（ａ）、（ｂ）に示すような穴２８１ｃが金型による成形上必然的に形成される。この穴２８１ｃは、図７（ａ）、（ｂ）に示すように鍔部２８１ａを設けたとしても、所定のクリアランス２８１ｅを確保する必要上、全く無くすことは不可能である。また、隣り合う板金の壁面どうしの間にも、図６（ａ）、（ｂ）に示すような隙間２８１ｄが金型による成形上必然的に形成される。
【００２９】
図５は、当該空気調和機１の電装品箱２８０の外観を示す概略斜視図である。電装品箱２８０は、図５に示すように、概略的に、電装品箱底板２８１と、電装部カバー２８３と、排水口２８４（不図示）とにより構成されている。
【００３０】
電装品箱底板２８１は、立設する基板サポート２８６を介して基板２８７を保持する（（図１０（ａ）参照）。電装部カバー２８３は、電装品箱底板２８１にて形成された箱体の上部を閉塞する。排水口２８４は、電装品箱２８０に侵入して溜まった水（雨水）を排水する。この排水口２８４は、電装品箱２８０の底部２８１ｂであって、室外ファン２３２から飛散した水滴が排水口２８４を介して電装品箱２８０内に入らない部位に位置している。
【００３１】
この排水口２８４は、室外ファン２３２の軌跡の後端鉛直上方よりも前方であって、室外ファン２３２の軌跡が直視できない電装品箱２８０の底部２８１ｂの領域、および／または室外ファン２３２の軌跡の後端鉛直上方よりも後方であって、室外ファン２３２から飛散する水滴が直接当たる領域よりも後方の電装品箱２８０の底部２８１ｂの領域に位置していることが好ましく、室外ファン２３２の軌跡の後端鉛直上方よりも後方であって、室外ファン２３２から飛散する水滴が直接当たる領域よりも後方の電装品箱２８０の底部２８１ｂの領域に位置していることがより好ましい。これにより、排水口２８４から雨水が浸入するのをより確実に防止することができる。
【００３２】
雨天時においては、上記気流と共に水滴が室外熱交換器２２０の放熱フィンを通り抜けて送風機室２７０に侵入し、電装品箱２８０が上記水滴に曝されることがある。この際、上述した穴２８１ｃや隙間２８１ｄを通して電装品箱２８０内に侵入した雨水は、電装品箱２８０内の底部２８１ｂに集合し、電装品箱２８０内に停滞することなく排水口２８４を介して電装品箱２８０外に速やかに排水される。
【００３３】
次に、室外ファン２３２を通過する気流（以下、単に「気流」ともいう）の方向が、室外熱交換器２２０側からファングリル２４４側に向かう場合（以下、この気流の状態を「順風状態」ともいう）と、ファングリル２４４側から室外熱交換器２２０側に向かう場合（以下、この気流の状態を「逆風状態」ともいう）とに分けて、排水口２８４を設置することができる電装品箱２８０の底部２８１ｂの具体的な領域について説明する。
【００３４】
順風状態では、気流は室外熱交換器２２０側からファングリル２４４側に向かう。この順風状態は、通常運転や、所定の風速以上の順風状態においてフリーラン運転を行う際に生じる。
【００３５】
この順風状態では、室外ファン２３２の回転により掻き揚げられた水滴は、気流によって鉛直上方よりも前方に飛散する。なお、当該空気調和機１はファンリング２３３を備えているため、室外ファン２３２の回転軸付近で掻き揚げられた水滴は、電装品箱２８０の中央付近にしか衝突しないものの、室外ファン２３２のエッジ（外周端）付近で掻き揚げられた水滴は、電装品箱２８０の前方の端部（前端）に衝突する可能性がある。また、室外ファン２３２のエッジが描く軌跡Ｃおよびファンリング２３３の外周形状は共に円筒形状であり、図１３、図１４の各概略断面図が示すように、電装品箱２８０と室外ファン２３２のエッジとの距離、電装品箱２８０とファンリング２３３との距離がそれぞれ異なるため、仕切板２５０に近づけば近づくほど電装品箱２８０の前端に水滴が衝突する可能性がある。
【００３６】
具体的には、図１４において、交点Ｐは、室外ファン２３２のエッジが描く軌跡Ｃの後端とファンリング２３３の後端とを結ぶ線分の延長線と、電装品箱２８０の底部２８１ｂ外表面とがぶつかる点を示しており、その交点Ｐよりも後方の部位が、当該断面において掻き揚げられた水滴が衝突する可能性がある領域であることを示している。
【００３７】
一方、上記交点Ｐよりも前方の部位は、室外ファン２３２の軌跡Ｃが直視できない電装品箱２８０の底部２８１ｂの領域であり、水滴が直接衝突することがない領域となる。したがって、当該空気調和機１は、排水口２８４が、室外ファン２３２の軌跡Ｃの後端鉛直上方よりも前方であって、交点Ｐよりも前方の部位である室外ファン２３２の軌跡Ｃが直視できない電装品箱２８０の底部２８１ｂの領域に設けられていることで、順風状態では、室外ファン２３２により掻き揚げられた水滴が排水口２８４から直接侵入することはなく、排水口２８４は専ら電装品箱２８０内の雨水の排水を行う。
【００３８】
他方、逆風状態では、気流はファングリル２４４側から室外熱交換器２２０側に向かう。この逆風状態は、所定の風速以上の外気がファングリル２４４から送風機室２７０に吹き込むとき、送風機２３０がフリーラン運転を行う際に生じる。
【００３９】
このような逆風状態では、室外ファン２３２の回転により掻き揚げられた水滴は、気流によって鉛直上方よりも後方に飛散する。したがって、フリーラン運転時の室外ファン２３２の逆回転により室外ファン２３２のエッジが描く軌跡Ｃの後端から鉛直上方に掻き揚げられた水滴が、気流に乗って最も後方に衝突する可能性がある。また、図１６の各概略断面図が示すように、電装品箱２８０と室外ファン２３２のエッジ２３２ａとの距離がそれぞれ異なると共に、室外ファン２３２の単位時間当たりの回転数、およびファングリル２４４側から吹き込む外気の風速によっても水滴が衝突する位置は異なる。
【００４０】
具体的には、水滴が飛散する方向は、図１６に示すように、風速ベクトルＶと室外ファン２３２のエッジ２３２ａにおける真上方向の速度ベクトルＶｖとの合成ベクトルＶｄとして表すことができ、この合成ベクトルＶｄの延長線と電装品箱２８０の底部２８１ｂ外表面との交点Ｐよりも前方の部位が、当該断面において掻き揚げられた水滴が衝突する可能性がある領域であることを示している。
【００４１】
次に、上述した合成ベクトルＶｄの求め方について説明する。合成ベクトルＶｄを算出する際は、まず外気の風速から室外ファンのエッジが描く軌跡Ｃの後端における真上方向の速度ベクトルＶｖを求める。図１７は、当該空気調和機の室外機における外気の風速と室外ファン回転数との関係を示す概略図である。この図において、風速の正側は外気が室外熱交換器２２０側からファングリル２４４側に向かう状態、風速の負側は外気がファングリル２４４側から室外熱交換器２２０側に向かう状態を示している。また、室外ファン２３２の回転数の正側は図８の矢印方向の回転（通常運転の回転方向と同じ方向の回転）、回転数の負側は図８の矢印方向と反対方向の回転（通常運転の回転方向と反対側の回転）を示している。
【００４２】
図１７に示すように、外気の風速が所定値Ｍの範囲内（−Ｍ〜Ｍ）では駆動用モータ２３１を用いて室外ファン２３２の回転を制御するため、室外ファン２３２の回転数は熱交換が充足される気流の速度（室外ファン２３２を通過する外気の速度）となるように適宜決定される。他方、外気の風速が所定値Ｍの範囲外（＜−ＭまたはＭ＜）ではフリーラン運転を行うため、外気の風速と気流の速度とが同じ値となり、室外ファン２３２の回転数は外気の風速に比例する。なお、フリーラン運転を行う外気の風速（Ｍの値）は、熱交換の充足性、電装部品２８８の耐久性等を勘案して適宜決定される。なお、当該空気調和機１の運転停止時において、外気の風速が所定値Ｍの範囲内（−Ｍ〜Ｍ）である場合は、図１７の一点鎖線で示すように、室外ファン２３２の回転数は外気の風速に比例する。
【００４３】
ここで、気流の速度から速度ベクトルＶｖを求める手法の一例について説明する。下記式（１）は、気流の速度ｖと室外ファン２３２の回転数ｆとの関係を表している。式（１）中、Ｋは定数を示している。この定数Ｋは、室外機２００の外筐２４０を用いた実測、シミュレーション等により決定することができる。式（１）が示すように、気流の速度と室外ファン２３２の回転数とは線形の関係になる。なお、下記式（２）は、式（１）を変形したものである。
【００４４】
【数１】
2019015453.tif 000003
【００４５】
次いで、下記式（３）を用いて室外ファン２３２から飛散する水滴の速度を求める。式（３）は、ある物体が半径rの円周を等速円運動する際の室外ファン２３２の回転数ｆとエッジ２３２ａの接線方向に飛散する物体の速度Ｖｅとの関係を表している。式（３）中、ωは室外ファンの角速度、ｒは室外ファン２３２のエッジの半径を示している。
【００４６】
【数２】
2019015453.tif 000004
【００４７】
次いで、下記式（４）を用いて飛散する水滴の真上方向の速度ベクトルＶｖを求める。式（４）は、物体の速度Ｖｅと真上方向の速度Ｖｖとの関係を表している。式（４）中、θは室外ファンのエッジにおける接線と鉛直線とがなす角度、ｒは室外ファンのエッジの半径、Ｘは室外ファン２３２の軸心から排水口２８４までの水平距離を示している（図１８参照）。
【００４８】
【数３】
2019015453.tif 000005
【００４９】
次に、得られた速度ベクトルＶｖと気流の速度ベクトルＶとの合成ベクトルＶｄを求める。次いで、この合成ベクトルＶｄの延長線と電装品箱２８０の底部２８１ｂ外表面との交点Ｐを求める。この交点Ｐよりも前方の部位が、逆風状態でフリーラン運転を行っているときの当該断面において掻き揚げられた水滴が衝突する可能性がある領域となる。
【００５０】
一方、上記交点Ｐよりも後方の部位は、水滴が直接衝突することがない領域となる。したがって、当該空気調和機１は、排水口２８４が、室外ファン２３２の軌跡Ｃの後端鉛直上方よりも後方であって、室外ファン２３２から飛散する水滴が直接当たる領域よりも後方の電装品箱２８０の底部２８１ｂの領域に位置していることで、逆風状態では、室外ファン２３２により掻き揚げられた水滴が排水口２８４から直接侵入することはなく、排水口２８４は専ら電装品箱２８０内の雨水の排水を行う。
【００５１】
以上のように、当該空気調和機１は、上記構成であるので、例えば新たに追加するような大がかりな部材を用いることなく、排水口２８４から雨水が浸入するのを確実に抑制することができ、その結果、排水口２８４は専ら電装品箱２８０からの雨水の排水を行うので、電装品箱２８０内の雨水を確実に排水することができる。
【００５２】
なお、本発明の空気調和機は、電装品箱２８０の内部には、電装品箱２８０の底部２８１ｂから離間すると共に水平に配置された基板２８７と、この基板２８７に装着された電装部品２８８とが収納され、電装部品２８８のいずれもが基板２８７の上方に配置されていることが好ましい。具体的には、図１０に示すように、電装部品２８８が基板２８７等に上向きに取り付けられて電装部を構成し、電装品箱底板２８１に設置された基板サポート２８６により基板２８７を支持することで、電装品箱２８０の底部２８１ｂと基板２８７とが所定の間隔で離間している。これにより、雨水が電装品箱２８０内に侵入したとしても電装部品２８８が直ちに浸水することはなく、電装部品２８０が破損するリスクを低減することができる。
【００５３】
なお、本発明の空気調和機は、排水口２８４がバーリング形状に形成されていることが好ましい。空気調和機が通常運転を行っている際、水滴が室外熱交換器２２０を通過して送風機室２７０に侵入すると、ファングリル２４４を通して空気調和機外へ出るものと、空気調和機外へ出ずに電装品箱２８０に当たったり、室外機２００の前面板２４１裏面に当たったりするものがある。これらのうち、室外機２００の前面板２４１裏面に当たった水滴は排水口２８４付近に跳ね返り、排水口２８４を通して電装品箱２８０内に侵入してしまう虞がある。この際、排水口２８４がバーリング形状（排水口２８５）であることで、上述のような水滴の侵入を抑制することができる。
【００５４】
また、図１４（ｆ）に示すＫ−Ｋ断面では、電装品箱２８０の底部２８１ｂ外表面において水滴に曝されることがない領域は存在しないことになるが、図１５に示すように、排水口２８４がバーリング形状（排水口２８５）であることで、勢いを持った水滴はバーリング穴２８５ｂの壁面にぶつかり、排水口２８５から電装品箱２８０内に侵入するのを抑制することができる。
【００５５】
上述の排水口２８５は、図１２に示すように、例えば、電装品箱底板２８１を内側から外側に向かってバーリングパンチを用いて打ち抜くことによりバーリング形状を形成することができる。バーリング形状としては、孔径φはより小さく、高さＨはより高い方が効果的に水滴の侵入を抑制することができるが、高さＨは３ｍｍ以上であることが好ましい。
【００５６】
このように、排水口２８５がバーリング形状に形成されていることで、当該空気調和機１は、別部材を用いずに材料費の増加を招くことなく、水滴が排水口２８５から侵入するのを効果的に防止することができ、結果として排水口２８５は専ら電装品箱２８０内の雨水の排水を行うことができる。また、排水口２８５がバーリング形状であることで、排水口２８５から水滴が侵入しない電装品箱２８０の底部２８１ｂ外表面の領域を広げることができる。図１９は、図１の室外機における室外ファン逆転時の掻き上げにより排水口から水滴が電装品箱に侵入しない領域を示す概略平面図である。この図が示すように、排水口をバーリング形状としないときの水滴が上記底部外表面に直接当たらない領域Ａ１に対し、排水口をバーリング形状とする（排水口２８５）ことで、水滴が直接当たらない領域を領域Ａ２まで拡げることができる。
【００５７】
なお、電装品箱２８０は板金で形成されているため、たとえ板金が腐食防止のため表面に防錆処理が施されていたとしても、バーリング形状に形成後のバーリング端面２８５ａは、未防錆処理部分が露出することになる。このため、上述のように排水口２８４がバーリング形状である場合、バーリング端面２８５ａに防錆処理が施されていることが好ましい。上記防錆処理は、通常バーリング形成後に上記バーリング端面２８５ａを含む板金に対して行われる。上記防錆処理としては、例えば、亜鉛メッキのようなメッキ処理、エポキシ樹脂などの樹脂を用いた塗装処理等が挙げられる。このようにバーリング端面２８５ａに防錆処理が施されていることで、排水口２８５が腐食により変形するのを防止することができる。
【００５８】
また、上述したように、バーリング形状に形成後のバーリング端面２８５ａは、未防錆処理部分が露出することになる。この端面２８５ａに不純物を含んだ水滴が触れることで腐食が進行し、排水口２８５が変形することが予想される。このため、上述のように排水口がバーリング形状である場合（排水口２８５）、バーリング形状の排水口２８５を複数有していることも好ましい。このように電装品箱２８０がバーリング形状の排水口２８５を複数有していることで、電装品箱２８０からの排水を複数の排水口２８５、２８５、・・・に分散させることができ、より確実に排水を行うことができる。
【００５９】
なお、本発明は、上述した実施形態の構成に限定されるものではなく、特許請求の範囲によって示され、特許請求の範囲と均等の意味および範囲内での全ての変更が含まれることが意図される。
【００６０】
例えば、上述した実施形態では、排水口２８４が、室外ファン２３２の軌跡Ｃの後端鉛直上方よりも前方であって、室外ファン２３２の軌跡Ｃが直視できない電装品箱２８０の底部２８１ｂの領域、および室外ファン２３２の軌跡Ｃの後端鉛直上方よりも後方であって、室外ファン２３２から飛散する水滴が直接当たる領域よりも後方の電装品箱２８０の底部２８１ｂの領域に位置する空気調和機１について説明したが、本発明の空気調和機は、排水口が電装品箱の底部であって室外ファンから飛散した水滴が排水口を介して電装品箱内に入らない部位であれば、いずれの部位に設けたものであってもよい。
【符号の説明】
【００６１】
１  空気調和機
２００  室外機
２１０  圧縮機
２３０  送風機
２３２  室外ファン
２５０  仕切板
２６０  機械室
２７０  送風機室
２８０  電装品箱
２８１ｂ  底部
２８４、２８５  排水口
２８５ａ  バーリング端面
２８７  基板
【図１】
2019015453.tif 000006
【図２】
2019015453.tif 000007
【図３】
2019015453.tif 000008
【図４】
2019015453.tif 000009
【図５】
2019015453.tif 000010
【図６】
2019015453.tif 000011
【図７】
2019015453.tif 000012
【図８】
2019015453.tif 000013
【図９】
2019015453.tif 000014
【図１０】
2019015453.tif 000015
【図１１】
2019015453.tif 000016
【図１２】
2019015453.tif 000017
【図１３】
2019015453.tif 000018
【図１４】
2019015453.tif 000019
【図１５】
2019015453.tif 000020
【図１６】
2019015453.tif 000021
【図１７】
2019015453.tif 000022
【図１８】
2019015453.tif 000023
【図１９】
2019015453.tif 000024